(57)【要約】【課題】  簡易な構造によりエネルギーロスが少なく、利用の容易な非接触給電を利用できる給電システムを提供する。【解決手段】  従来の負荷機器に給電する給電システムに変わって、他の給電用コイルへ非接触給電できる給電用コイルである給電用１次コイルと、他の給電用コイルから非接触給電され非接触給電された電力を負荷機器に給電する給電用コイルである給電用２次コイルと、を備え、前記給電用１次コイルが家具に設けられ、前記給電用２次コイルが前記家具の上方に位置するときに前記給電用１次コイルから前記給電用２次コイルへ非接触給電できる、ものとした。【選択図】    図１
2015023673.tif 000002
【特許請求の範囲】
【請求項１】
負荷機器に給電する給電システムであって、
他の給電用コイルへ非接触給電できる給電用コイルである給電用１次コイルと、
他の給電用コイルから非接触給電され非接触給電された電力を負荷機器に給電する給電用コイルである給電用２次コイルと、
を備え、
前記給電用１次コイルが家具に設けられ、
前記給電用２次コイルが前記家具の上方に位置するときに前記給電用１次コイルから前記給電用２次コイルへ非接触給電できる、
ことを特徴とする給電システム
【請求項２】
前記給電用１次コイルが上から見て前記家具の輪郭に沿って這わされるコイルを有する、
ことを特徴とする請求項１に記載の給電システム。
【請求項３】
負荷機器が電力駆動式の人工臓器であって、
家具が寝台であり、
給電用１次コイルが上からみて寝台の輪郭に沿って這わされるコイルを有する、
ことを特徴とする請求項２に記載の給電システム。
【請求項４】
負荷機器が電力駆動式の人工臓器であって、
家具が寝具であり、
給電用１次コイルが上からみて寝具の輪郭に沿って這わされるコイルを有する、
ことを特徴とする請求項１又は請求項３のうちのひとつの請求項に記載の給電システム。
【請求項５】
前記給電用２次コイルが負荷機器から物理的に分離可能である、
ことを特徴とする請求項１又は請求項４のうちのひとつの請求項に記載の給電システム。
【請求項６】
複数の給電用１次コイル、
を備え、
複数の給電用１次コイルは上から見て前記寝台の輪郭の内側に這わされるコイルを各々に有する、
ことを特徴とする請求項１又は請求項５のうちのひとつの請求項に記載の給電システム。
【請求項７】
負荷機器に給電する給電システムであって、
他の給電用コイルへ非接触給電できる給電用コイルである給電用１次コイルと、
他の給電用コイルから非接触給電され非接触給電された電力を負荷機器に給電する給電用コイルである給電用２次コイルと、
を備え、
前記給電用１次コイルが部屋に設けられ、
前記給電用２次コイルが前記部屋の内側に位置するときに前記給電用１次コイルから前記給電用２次コイルへ非接触給電できる、
ことを特徴とする給電システム。
【請求項８】
前記給電用１次コイルが前記部屋の輪郭の内側に這わされるコイルを有する、
ことを特徴とする請求項７に記載の給電システム。
【請求項９】
負荷機器が電力駆動式の人工臓器である、
ことを特徴とする請求項８に記載の給電システム。
【請求項１０】
前記給電用２次コイルが負荷機器から物理的に分離可能である、
ことを特徴とする請求項７又は請求項９のうちのひとつの請求項に記載の給電システム。
【請求項１１】
複数の給電用１次コイル、
を備え、
複数の給電用１次コイルは前記部屋の輪郭の内側に這わされるコイルを各々に有する、
ことを特徴とする請求項７又は請求項１０のうちのひとつの請求項に記載の給電システム。
【発明の詳細な説明】
【技術分野】
【０００１】
本発明は、負荷機器に給電する給電システムに係る。
【背景技術】
【０００２】
各種の負荷機器が用いられる。
負荷機器に給電を要するときに、各種の給電システムが用いられる。
一般的には、有線による給電が行われる。
近年、非接触集電システムを提案される。
そこで、発明者は負荷機器へ非接触給電する給電システムを案出した。
【０００３】
例えば、給電用１次コイルが家具または部屋内に設けられる。
非接触式により給電用１次コイルから給電用２次コイルへエネルギーロスを少なく給電することが望まれる。
図９に、非接触給電システムの概念を示す。
図９は、米国特許第８０３５２５５号に開示されたものである。
また、非接触式により給電用１次コイルから給電用２次コイルへ給電する際に、利用方法が容易なことが望まれる。
【先行技術文献】
【特許文献】
【０００４】
【特許文献１】特開２０１１−６０２６０号公報
【特許文献２】特開２０１１−９７８１４号公報
【特許文献３】米国特許第８０３５２５５号明細書
【特許文献４】米国特許第８１０６５３９号明細書
【発明の概要】
【発明が解決しようとする課題】
【０００５】
本発明は以上に述べた問題点に鑑み案出されたもので、簡易な構造によりエネルギーロスが少なく、利用の容易な非接触給電を利用できる給電システムを提供する。
【課題を解決するための手段】
【０００６】
上記目的を達成するため、本発明に係る負荷機器に給電する給電システムであって、他の給電用コイルへ非接触給電できる給電用コイルである給電用１次コイルと、他の給電用コイルから非接触給電され非接触給電された電力を負荷機器に給電する給電用コイルである給電用２次コイルと、を備え、前記給電用１次コイルが家具に設けられ、前記給電用２次コイルが前記家具の上方に位置するときに前記給電用１次コイルから前記給電用２次コイルへ非接触給電できる、ものとした。
【０００７】
上記本発明の構成により、給電用１次コイルは、他の給電用コイルへ非接触給電できる給電用コイルである。給電用２次コイルは、他の給電用コイルから非接触給電され非接触給電された電力を負荷機器に給電する給電用コイルである。前記給電用１次コイルが家具に設けられる。前記給電用２次コイルが前記家具の上方に位置するときに前記給電用１次コイルから前記給電用２次コイルへ非接触給電できる。
その結果、負荷機器へ給電できる。
【０００８】
以下に、本発明の実施形態に係る給電システムを説明する。本発明は、以下に記載した実施形態のいずれか、またはそれらの中の二つ以上が組み合わされた態様を含む。
【０００９】
本発明の実施形態に係る給電システムは、前記給電用１次コイルが上から見て前記家具の輪郭に沿って這わされるコイルを有する。
上記の実施形態の構成により、前記給電用１次コイルのコイルが上から見て前記家具の輪郭に沿って這わされる。
その結果、負荷機器へ給電できる。
【００１０】
本発明の実施形態に係る給電システムは、負荷機器が電力駆動式の人工臓器であって、
家具が寝台であり、給電用１次コイルが上からみて寝台の輪郭に沿って這わされるコイルを有する。
上記の実施形態の構成により負荷機器が電力駆動式の人工臓器である。家具が寝台である。給電用１次コイルが上からみて寝台の輪郭に沿って這わされるコイルを有する。
その結果、寝台の上方に位置する給電用２次コイルを介して人工臓器に給電できる。
【００１１】
本発明の実施形態に係る給電システムは、負荷機器が電力駆動式の人工臓器であって、家具が寝具であり、給電用１次コイルが上からみて寝具の輪郭に沿って這わされるコイルを有する。
上記の実施形態の構成により負荷機器が電力駆動式の人工臓器である。家具が寝具である。給電用１次コイルが上からみて寝具の輪郭に沿って這わされるコイルを有する。
その結果、寝具の上方に位置する給電用２次コイルを介して人工臓器に給電できる。
【００１２】
本発明の実施形態に係る給電システムは、前記給電用２次コイルが負荷機器から物理的に分離可能である。
上記の実施形態の構成により前記給電用２次コイルが負荷機器から物理的に分離可能である。
その結果、家具の上方に位置する給電用２次コイルを経由して負荷機器へ給電できる。
【００１３】
本発明の実施形態に係る給電システムは、複数の給電用１次コイル、を備え、複数の給電用１次コイルは上から見て前記寝台の輪郭の内側に這わされるコイルを各々に有する。
上記の実施形態の構成により、複数の給電用１次コイルを備える。複数の給電用１次コイルは上から見て前記寝台の輪郭の内側に這わされるコイルを各々に有する。
その結果、複数の給電用１次コイルから家具の上方に位置する給電用２次コイルを経由して負荷機器へ給電できる。
【００１４】
上記目的を達成するため、本発明に係る負荷機器に給電する給電システムであって、他の給電用コイルへ非接触給電できる給電用コイルである給電用１次コイルと、他の給電用コイルから非接触給電され非接触給電された電力を負荷機器に給電する給電用コイルである給電用２次コイルと、を備え、前記給電用１次コイルが部屋内に設けられ、前記給電用２次コイルが前記部屋内に位置するときに前記給電用１次コイルから前記給電用２次コイルへ非接触給電できる、ものとした。
【００１５】
上記本発明の構成により、給電用１次コイルが、他の給電用コイルへ非接触給電できる給電用コイルである。給電用２次コイルが、他の給電用コイルから非接触給電され非接触給電された電力を負荷機器に給電する給電用コイルである。前記給電用１次コイルが部屋に設けられる。前記給電用２次コイルが前記部屋の内側に位置するときに前記給電用１次コイルから前記給電用２次コイルへ非接触給電できる。
その結果、負荷機器へ給電できる。
【００１６】
以下に、本発明の実施形態に係る給電システムを説明する。本発明は、以下に記載した実施形態のいずれか、またはそれらの中の二つ以上が組み合わされた態様を含む。
【００１７】
本発明の実施形態に係る給電システムは、前記給電用１次コイルが前記部屋の輪郭の内側に這わされるコイルを有する。
上記の実施形態の構成により、前記給電用１次コイルのコイルが前記部屋の輪郭の内側に這わされる。
その結果、負荷機器へ給電できる。
【００１８】
本発明の実施形態に係る給電システムは、負荷機器が電力駆動式の人工臓器である。
上記の実施形態の構成により、負荷機器が電力駆動式の人工臓器である。
その結果、部屋の内側に位置する給電用２次コイルを介して人工臓器に給電できる。
【００１９】
本発明の実施形態に係る給電システムは、前記給電用２次コイルが負荷機器から物理的に分離可能である。
上記の実施形態の構成により、前記給電用２次コイルが負荷機器から物理的に分離可能である。
その結果、部屋内に位置する給電用２次コイルを経由して負荷機器へ給電できる。
【００２０】
本発明の実施形態に係る給電システムは、複数の給電用１次コイル、を備え、複数の給電用１次コイルは上から見て前記部屋の輪郭の内側に這わされるコイルを各々に有する。
上記の実施形態の構成により、複数の給電用１次コイルは上から見て前記部屋の輪郭の内側に這わされるコイルを各々に有する。
その結果、複数の給電用１次コイルから部屋の輪郭の内側に位置する給電用２次コイルを経由して負荷機器へ給電できる。
【発明の効果】
【００２１】
以上説明したように、本発明に係る給電システムは、その構成により、以下の効果を有する。
前記家具に前記給電用１次コイルを設け、前記給電用２次コイルが負荷機器へ給電でき、前記給電用１次コイルから前記家具の上方に位置する前記給電用２次コイルへ非接触給電できる様にしたので、負荷機器へ給電できる。
また、前記給電用１次コイルのコイルが上から見て前記家具の輪郭に沿って這わされる様にしたので、負荷機器へ給電できる。
また、前記給電用１次コイルのコイルが上からみて前記寝台の輪郭に沿って這わされる様にしたので、寝台の上方に位置する給電用２次コイルを介して人工臓器に給電できる。
また、前記給電用１次コイルのコイルが上からみて前記寝具の輪郭に沿って這わされる様にしたので、寝台の上方に位置する給電用２次コイルを介して人工臓器に給電できる。
また、前記給電用２次コイルが負荷機器から物理的に分離可能である様にしたので、家具の上方に位置する給電用２次コイルを経由して負荷機器へ給電できる。
また、複数の前記給電用１次コイルの各々にコイルが上から見て前記寝台の輪郭の内側に這わされる様にしたので、複数の前記給電用１次コイルから家具の上方に位置する給電用２次コイルを経由して負荷機器へ給電できる。
【００２２】
部屋に前記給電用１次コイルを設け、負荷機器へ給電できる前記給電用２次コイルが負荷機器へ給電でき、前記給電用１次コイルから前記部屋の内側に位置する前記給電用２次コイルへ非接触給電できる様にしたので、負荷機器へ給電できる。
また、前記給電用１次コイルのコイルが前記部屋の輪郭の内側に該輪郭に沿って這わされる様にしたので、負荷機器へ給電できる。
また、前記給電用１次コイルのコイルが部屋の輪郭の内側に該輪郭に沿って這わされる様にしたので、部屋の内側に位置する前記給電用２次コイルを介して人工臓器に給電できる。
また、前記給電用２次コイルが負荷機器から物理的に分離可能である様にしたので、部屋内に位置する前記給電用２次コイルを経由して負荷機器へ給電できる。
また、複数の前記給電用１次コイルの各々にコイルが上から見て前記部屋の輪郭の内側に這わされる様にしたので、複数の前記給電用１次コイルから部屋の輪郭の内側に位置する給電用２次コイルを経由して負荷機器へ給電できる。
従って、簡易な構造によりエネルギーロスが少なく、利用の容易な非接触給電を利用できる給電システムを提供できる。
【図面の簡単な説明】
【００２３】
【図１】本発明の第一の実施形態に係る給電システムの概念図である。
【図２】本発明の第一の実施形態に係る給電システムの斜視図である。
【図３】本発明の第二の実施形態に係る給電システムの概念図である。
【図４】本発明の第二の実施形態に係る給電システムの斜視図である。
【図５】本発明の第三の実施形態に係る給電システムの斜視図である。
【図６】本発明の第四の実施形態に係る給電システムの斜視図である。
【図７】本発明の第五の実施形態に係る給電システムの斜視図である。
【図８】本発明の第六の実施形態に係る給電システムの斜視図である。
【図９】非接触給電システムの概念図である。
【発明を実施するための形態】
【００２４】
以下、本発明を実施するための形態を、図面を参照して説明する。
最初に、本発明の第一の実施形態にかかる給電システムを、図を基に、説明する。
図１は、本発明の第一の実施形態に係る給電システムの概念図である。図２は、本発明の第一の実施形態に係る給電システムの斜視図である。
【００２５】
給電システムは、負荷機器１０に給電するシステムである。
負荷機器は、電力を消費して機能を発揮する機器である。
負荷機器１０は、発光器１１、人工臓器１２、その他であってもよい。
例えば、負荷機器１０は、発光器１１である。
【００２６】
給電システムは、給電用１次コイル２１と給電用２次コイル２２とで構成される。
給電システムは、給電用１次コイル２１と給電用２次コイル２２と駆動機器５０とで構成される。
給電システムは、給電用１次コイル２１と給電用２次コイル２２と駆動機器５０と電源機器６０とで構成される。
【００２７】
給電用コイルは、コイルとコイル支持構造とで構成される。
コイルに電流が流れると、磁場を発生する。
磁場がコイルの位置する雰囲気に発生すると、コイルに電流が流れる。
コイル支持構造は、コイルを支持し、所定の形状に維持する構造体である。
例えば、コイル支持康応は、コイルを所定の形状に維持する絶縁性の樹脂構造体である。
以下で、「給電コイルに電流が流れる」というときは、「給電コイルのコイルに電流が流れる」の意味である。
【００２８】
給電用１次コイル２１は、他の給電用コイルへ非接触給電できる給電用コイルである。
給電用１次コイル２１は、電源機器６０に電力を供給される駆動機器５０に駆動されて、他の給電用コイルへ非接触給電できる。
例えば、給電用１次コイル２１は、駆動機器５０に駆動されて、給電用２次コイル２２へ非接触給電できる。
【００２９】
給電用２次コイル２２は、他の給電用コイルから非接触給電され非接触給電された電力を負荷機器に給電する給電用コイルである。
例えば、給電用２次コイル２２は、給電用１次コイル２１から非接触給電され非接触給電された電力を負荷機器１０へ給電する。
例えば、給電用２次コイル２２は、下方に位置する給電用１次コイル２１から非接触給電される。
【００３０】
給電用１次コイル２１に電流を流すと、空間に磁界が発生し、その磁界の中に存在する給電用２次コイル２２に磁界による誘導電流が発生する。
例えば、給電用１次コイル２１に交番電流を流すと、空間に磁界が発生し、その磁界の中に存在する給電用２次コイル２２に磁界による誘導電流が発生する。
その結果、給電用２次コイル２２は、給電用１次コイル２１から非接触給電される。
例えば、給電用２次コイル２２は、給電用１次コイル２１から磁界共鳴型の非接触給電される。
例えば、給電用２次コイル２２は、給電用１次コイル２１から電界共鳴型の非接触給電される。
例えば、給電用２次コイル２２は、給電用１次コイル２１から電磁誘導型の非接触給電される。
【００３１】
給電用１次コイル２１は、家具３０に設けられる。
給電用１次コイル２１は、人を支持する家具３０に設けられてもよい。
家具３０は、イス３１、寝台３２、寝具３３、その他であってもよい。
例えば、家具３０は、イス３１である。
【００３２】
給電用１次コイル２１のコイルは、家具の輪郭Ｑに沿って這わされてもよい。
給電用１次コイル２１のコイルは、家具の輪郭Ｑの内側に這わされてもよい。
給電用１次コイル２１のコイルは、上から見て家具の輪郭Ｑに沿って這わされてもよい。
給電用１次コイル２１のコイルは、上から見て家具の輪郭Ｑの内側に輪郭Ｑに沿って這わされてもよい。
例えば、給電用１次コイル２１のコイルは、上から見てイス３１の輪郭Ｑの内側に輪郭Ｑに沿って這わされる。
図２は、給電用１次コイル２１のコイルが上から見てイス３１の腰掛け部の輪郭Ｑの内側に輪郭Ｑに沿って這わされる様子を示す。
【００３３】
給電用２次コイル２２と負荷機器１０とが一体構造であってもよい。
図１は、給電用２次コイル２２が発光器１１の握り部に設けられる様子を示す。
【００３４】
給電用２次コイル２２が負荷機器１０から物理的に分離可能であってもよい。
給電用２次コイル２２が負荷機器１０とが、所定のケーブルで繋がり、物理的に分離可能であってもよい。
【００３５】
給電用２次コイル２２が家具３０の上方に位置するときに、給電用１次コイル２１から給電用２次コイル２２へ非接触給電できる。
給電用２次コイル２２が家具３０の上方に位置するときに、給電用１次コイル２１から給電用２次コイル２２へ非接触給電でき、非接触給電された電力を負荷機器１０に給電する。
給電用２次コイル２２がイス３１の上方に位置するときに、給電用１次コイル２１から給電用２次コイル２２へ非接触給電でき、非接触給電された電力を負荷機器１０に給電する。
図１は、給電用２次コイル２２がイス３１の上方に位置し、給電用１次コイル２１から給電用２次コイル２２へ非接触給電でき、非接触給電された電力を発光器１１に給電する様子を示す。
この様にすると、コンサート等で、発光器１１を握った観客がイスに座ると、発光器１１が発光する。
【００３６】
次に、本発明の第二の実施形態にかかる給電システムを、図を基に、説明する。
図３は、本発明の第二の実施形態に係る給電システムの概念図である。図４は、本発明の第二の実施形態に係る給電システムの斜視図である。
【００３７】
給電システムは、負荷機器１０に給電するシステムである。
負荷機器は、電力を消費して機能を発揮する機器である。
例えば、負荷機器１０は、電力駆動の人工臓器１２である。
【００３８】
給電システムは、給電用１次コイル２１と給電用２次コイル２２とで構成される。
給電システムは、給電用１次コイル２１と給電用２次コイル２２と駆動機器５０とで構成される。
給電システムは、給電用１次コイル２１と給電用２次コイル２２と駆動機器５０と電源機器６０とで構成される。
【００３９】
給電用コイルは、コイルとコイル支持構造とで構成される。
コイルに電流が流れると、磁場を発生する。
磁場がコイルの位置する雰囲気に発生すると、コイルに電流が流れる。
コイル支持構造は、コイルを支持し、所定の形状に維持する構造体である。
例えば、コイル支持康応は、コイルを所定の形状に維持する絶縁性の樹脂構造体である。
以下で、「給電コイルに電流が流れる」というときは、「給電コイルのコイルに電流が流れる」の意味である。
【００４０】
給電用１次コイル２１は、他の給電用コイルへ非接触給電できる給電用コイルである。
給電用１次コイル２１は、電源機器６０に電力を給電される駆動機器５０に駆動されて、他の給電用コイルへ非接触給電できる。
例えば、給電用１次コイル２１は、駆動機器５０に駆動されて、給電用２次コイル２２へ非接触給電できる。
【００４１】
給電用２次コイル２２は、他の給電用コイルから非接触給電され非接触給電された電力を負荷機器に給電する給電用コイルである。
例えば、給電用２次コイル２２は、給電用１次コイル２１非接触給電され非接触給電された電力を負荷機器１０へ給電する。
例えば、給電用２次コイル２２は、下方に位置する給電用１次コイル２１から非接触給電される。
【００４２】
給電用１次コイル２１から給電用２次コイル２２へ非接触給電する様子は、第一の実施形態にかかる給電システムのものと同じなので、説明を省略する。
【００４３】
給電用１次コイル２１は、家具３０に設けられる。
給電用１次コイル２１は、人を支持する家具３０に設けられてもよい。
例えば、家具３０は、寝台３２である。
【００４４】
給電用１次コイル２１のコイルは、家具３０の輪郭Ｑに沿って這わされてもよい。
給電用１次コイル２１のコイルは、上から見て家具の輪郭Ｑに沿って這わされてもよい。
給電用１次コイル２１のコイルは、上から見て家具の輪郭Ｑの内側に輪郭Ｑに沿って這わされてもよい。
例えば、給電用１次コイル２１のコイルは、上から見て寝台３２の輪郭Ｑの内側に輪郭Ｑに沿って這わされる。
図４は、給電用１次コイル２１のコイルが上から見て寝台３２の床部の輪郭Ｑの内側に輪郭Ｑに沿って這わされる様子を示す。
【００４５】
給電用２次コイル２２と負荷機器１０とが一体構造であってもよい。
図３は、給電用２次コイル２２が人工臓器１２に隣接して設けられる様子を示す。
【００４６】
給電用２次コイル２２が負荷機器１０から物理的に分離可能であってもよい。
給電用２次コイル２２が負荷機器１０とが、所定のケーブルで繋がり、物理的に分離可能であってもよい。
【００４７】
給電用２次コイル２２が家具３０の上方に位置するときに、給電用１次コイル２１から給電用２次コイル２２へ非接触給電できる。
給電用２次コイル２２が家具３０の上方に位置するときに、給電用１次コイル２１から給電用２次コイル２２へ非接触給電でき、非接触給電された電力を負荷機器１０に給電する。
図４は、給電用２次コイル２２が寝台３２の上方に位置し、給電用１次コイル２１から給電用２次コイル２２へ非接触給電でき、非接触給電された電力を人口臓器１２に給電する様子を示す。
この様にすると、人工臓器を持つ人が寝台３２に寝ると、人口臓器１２が非接触給電された電力で作動する。
【００４８】
以下、本発明を実施するための形態を、図面を参照して説明する。
最初に、本発明の第三の実施形態にかかる給電システムを、図を基に、説明する。
図５は、本発明の第三の実施形態に係る給電システムの斜視図である。
【００４９】
給電システムは、負荷機器１０に給電するシステムである。
負荷機器は、電力を消費して機能を発揮する機器である。
例えば、負荷機器１０は、電力駆動の人工臓器１２である。
【００５０】
給電システムは、複数の給電用１次コイル２１と給電用２次コイル２２とで構成される。
給電システムは、複数の給電用１次コイル２１と給電用２次コイル２２と駆動機器５０とで構成される。
給電システムは、複数の給電用１次コイル２１と給電用２次コイル２２と駆動機器５０と電源機器６０とで構成される。
【００５１】
給電用コイルの構造は、第一の実施形態にかかる給電システムのものと同じなので、説明を省略する。
【００５２】
複数の給電用１次コイル２１は、他の給電用コイルへ各々に非接触給電できる給電用コイルである。
複数の給電用１次コイル２１は、電源機器６０に電力を給電される駆動機器５０に駆動されて、他の給電用コイルへ各々に非接触給電できる。
例えば、給電用１次コイル２１は、駆動機器５０に駆動されて、給電用２次コイル２２へ非接触給電できる。
【００５３】
給電用２次コイル２２は、第二の実施形態にかかる給電システムのものと同じなので、説明を省略する。
【００５４】
給電用１次コイル２１から給電用２次コイル２２へ非接触給電する様子は、第一の実施形態にかかる給電システムのものと同じなので、説明を省略する。
【００５５】
複数の給電用１次コイル２１は、家具３０に設けられる。
複数の給電用１次コイル２１は、人を支持する家具３０に設けられてもよい。
例えば、家具３０は、寝台３２である。
【００５６】
複数の給電用１次コイル２１のコイルは、寝台の輪郭の内側に這わされる。
複数の給電用１次コイル２１のコイルは、上から見て寝台の輪郭Ｑの内側に這わされる。
図５は、複数の給電用１次コイル２１のコイルが上から見て寝台の輪郭Ｑの内側に這わされる様子を示す。
駆動機器５０が複数の給電用１次コイル２１を駆動する。
【００５７】
給電用２次コイル２２が家具３０の上方に位置するときに、複数の給電用１次コイル２１のうちの少なくとも１つの給電用１次コイル２１から給電用２次コイル２２へ非接触給電でき、非接触給電された電力を負荷機器１０に給電する。
給電用２次コイル２２が寝台３２の上方に位置するときに、複数の給電用１次コイル２１のうちの少なくとも１つの給電用１次コイル２１から給電用２次コイル２２へ非接触給電でき、非接触給電された電力を負荷機器１０に給電する。
この様にすると、人工臓器を持つ人が寝台３２に寝ると、人口臓器１２が非接触給電された電力で作動する。
【００５８】
次に、本発明の第四の実施形態にかかる給電システムを、図を基に、説明する。
図６は、本発明の第四の実施形態に係る給電システムの斜視図である。
【００５９】
給電システムは、負荷機器１０に給電するシステムである。
負荷機器は、電力を消費して機能を発揮する機器である。
例えば、負荷機器１０は、電力駆動の人工臓器１２である。
【００６０】
給電システムは、給電用１次コイル２１と給電用２次コイル２２とで構成される。
給電システムは、給電用１次コイル２１と給電用２次コイル２２と駆動機器５０とで構成される。
給電システムは、給電用１次コイル２１と給電用２次コイル２２と駆動機器５０と電源機器６０とで構成される。
【００６１】
給電コイルの構造は、第二の実施形態にかかる給電システムのものと同じなので、説明を省略する。
【００６２】
給電用１次コイル２１の構造は、第二の実施形態にかかる給電システムのものと同じなので、説明を省略する。
【００６３】
給電用２次コイルの構造は、第二の実施形態にかかる給電システムのものと同じなので、説明を省略する。
【００６４】
給電用１次コイル２１から給電用２次コイル２２へ非接触給電する様子は、第一の実施形態にかかる給電システムのものと同じなので、説明を省略する。
【００６５】
給電用１次コイル２１は、家具３０に設けられる。
給電用１次コイル２１は、人を支持する家具３０に設けられてもよい。
例えば、家具３０は、寝具３３である。
【００６６】
給電用１次コイル２１のコイルは、家具の輪郭Ｑに沿って這わされてもよい。
給電用１次コイル２１のコイルは、上から見て家具の輪郭Ｑに沿って這わされてもよい。
給電用１次コイル２１のコイルは、上から見て家具の輪郭Ｑの内側に輪郭Ｑに沿って這わされてもよい。
例えば、給電用１次コイル２１のコイルは、上から見て寝具３３の輪郭Ｑに沿って這わされる。
図６は、給電用１次コイル２１のコイルが上から見て寝具３３の床部の輪郭Ｑに沿って這わされる様子を示す。
【００６７】
給電用２次コイル２２と負荷機器１０との関係は、第二の実施形態にかかる給電システムで説明したものと同じなので、説明を省略する。
【００６８】
給電用２次コイル２２が家具３０の上方に位置するときに、給電用１次コイル２１から給電用２次コイル２２へ非接触給電できる。
給電用２次コイル２２が家具３０の上方に位置するときに、給電用１次コイル２１から給電用２次コイル２２へ非接触給電でき、非接触給電された電力を負荷機器１０に給電する。
図６は、給電用２次コイル２２が寝具３３の上方に位置し、給電用１次コイル２１から給電用２次コイル２２へ非接触給電でき、非接触給電された電力を人口臓器１２に給電する様子を示す。
この様にすると、人工臓器を持つ人が寝具３３に寝ると、人口臓器１２が非接触給電された電力で作動する。
【００６９】
次に、本発明の第五の実施形態にかかる給電システムを、図を基に、説明する。
図７は、本発明の第五の実施形態にかかる給電システムの斜視図である。
【００７０】
給電システムは、負荷機器１０に給電するシステムである。
負荷機器は、電力を消費して機能を発揮する機器である。
例えば、負荷機器１０は、電気機器、電力駆動の人工臓器１２、その他である。
【００７１】
給電システムは、給電用１次コイル２１と給電用２次コイル２２とで構成される。
給電システムは、給電用１次コイル２１と給電用２次コイル２２と駆動機器５０とで構成される。
給電システムは、給電用１次コイル２１と給電用２次コイル２２と駆動機器５０と電源機器６０とで構成される。
【００７２】
給電コイルの構造は、第一の実施形態にかかる給電システムのものと同じなので、説明を省略する。
【００７３】
給電用１次コイルの構造は、第一の実施形態にかかる給電システムのものと同じなので、説明を省略する。
【００７４】
給電用２次コイル２２は、他の給電用コイルから非接触給電され非接触給電された電力を負荷機器に給電する給電用コイルである。
例えば、給電用２次コイル２２は、給電用１次コイル２１非接触給電され非接触給電された電力を負荷機器１０へ給電する。
例えば、給電用２次コイル２２は、周囲に位置する給電用１次コイル２１から非接触給電される。
【００７５】
給電用１次コイル２１から給電用２次コイル２２へ非接触給電する様子は、第一の実施形態にかかる給電システムのものと同じなので、説明を省略する。
【００７６】
給電用１次コイル２１は、部屋４０に設けられる。
給電用１次コイル２１は、部屋４０の床、壁、天井または室内に設けられてもよい。
【００７７】
給電用１次コイル２１のコイルは、部屋４０の輪郭Ｑに沿って這わされてもよい。
給電用１次コイル２１のコイルは、上から見て部屋４０の輪郭Ｑに沿って這わされてもよい。
給電用１次コイル２１のコイルは、上から見て部屋の輪郭Ｑの内側に輪郭Ｑに沿って這わされてもよい。
例えば、給電用１次コイル２１のコイルは、上から見て部屋４０の輪郭Ｑの内側に輪郭Ｑに沿って這わされる。
図７は、給電用１次コイル２１のコイルが部屋４０の床に上から見て部屋４０の輪郭Ｑの内側に輪郭Ｑに沿って這わされる様子を示す。
【００７８】
給電用２次コイル２２と負荷機器１０とが一体構造であってもよい。
【００７９】
給電用２次コイル２２が負荷機器１０から物理的に分離可能であってもよい。
給電用２次コイル２２が負荷機器１０とが、所定のケーブルで繋がり、物理的に分離可能であってもよい。
【００８０】
給電用２次コイル２２が部屋４０の内側に位置するときに、給電用１次コイル２１から給電用２次コイル２２へ非接触給電できる。
給電用２次コイル２２が部屋４０の内側に位置するときに、給電用１次コイル２１から給電用２次コイル２２へ非接触給電でき、非接触給電された電力を負荷機器１０に給電する。
図７は、給電用２次コイル２２が部屋４０の内側に位置し、給電用１次コイル２１から給電用２次コイル２２へ非接触給電でき、非接触給電された電力を発光器１１に給電する様子を示す。
この様にすると、人工臓器を持つ人が部屋４０の内側に居ると、人口臓器１２が非接触給電された電力で作動する。
【００８１】
次に、本発明の第六の実施形態にかかる給電システムを、図を基に、説明する。
図８は、本発明の第六の実施形態にかかる給電システムの斜視図である。
【００８２】
給電システムは、負荷機器１０に給電するシステムである。
負荷機器は、電力を消費して機能を発揮する機器である。
例えば、負荷機器１０は、電気機器、電力駆動の人工臓器１２、その他である。
【００８３】
給電システムは、給電用１次コイル２１と給電用２次コイル２２とで構成される。
給電システムは、給電用１次コイル２１と給電用２次コイル２２と駆動機器５０とで構成される。
給電システムは、給電用１次コイル２１と給電用２次コイル２２と駆動機器５０と電源機器６０とで構成される。
【００８４】
給電コイルの構造は、第一の実施形態にかかる給電システムのものと同じなので、説明を省略する。
【００８５】
給電用１次コイルの構造は、第一の実施形態にかかる給電システムのものと同じなので、説明を省略する。
【００８６】
給電用２次コイル２２は、他の給電用コイルから非接触給電され非接触給電された電力を負荷機器に給電する給電用コイルである。
例えば、給電用２次コイル２２は、給電用１次コイル２１非接触給電され非接触給電された電力を負荷機器１０へ給電する。
例えば、給電用２次コイル２２は、周囲に位置する給電用１次コイル２１から非接触給電される。
【００８７】
給電用１次コイル２１から給電用２次コイル２２へ非接触給電する様子は、第一の実施形態にかかる給電システムのものと同じなので、説明を省略する。
【００８８】
給電用１次コイル２１は、部屋４０に設けられる。
給電用１次コイル２１は、部屋４０の床、壁、または天井に設けられてもよい。
【００８９】
給電用１次コイル２１のコイルは、部屋４０の輪郭Ｑに沿って這わされてもよい。
給電用１次コイル２１のコイルは、横から見て部屋４０の輪郭Ｑに沿って這わされてもよい。
給電用１次コイル２１のコイルは、横から見て部屋の輪郭Ｑの内側に輪郭Ｑに沿って這わされてもよい。
例えば、給電用１次コイル２１のコイルは、横から見て見て部屋４０の輪郭Ｑの内側に輪郭Ｑに沿って這わされる。
図７は、給電用１次コイル２１のコイルが部屋４０の壁に横から見て部屋４０の輪郭Ｑの内側に輪郭Ｑに沿って這わされる様子を示す。
【００９０】
給電用２次コイル２２と負荷機器１０とが一体構造であってもよい。
【００９１】
給電用２次コイル２２が負荷機器１０から物理的に分離可能であってもよい。
給電用２次コイル２２が負荷機器１０とが、所定のケーブルで繋がり、物理的に分離可能であってもよい。
【００９２】
給電用２次コイル２２が部屋４０の内側に位置するときに、給電用１次コイル２１から給電用２次コイル２２へ非接触給電できる。
給電用２次コイル２２が部屋４０の内側に位置するときに、給電用１次コイル２１から給電用２次コイル２２へ非接触給電でき、非接触給電された電力を負荷機器１０に給電する。
図８は、給電用２次コイル２２が部屋４０の内側に位置し、給電用１次コイル２１から給電用２次コイル２２へ非接触給電でき、非接触給電された電力を発光器１１に給電する様子を示す。
この様にすると、人工臓器を持つ人が部屋４０の内側に居ると、人口臓器１２が非接触給電された電力で作動する。
【００９３】
本発明の実施形態に係る給電システムは、その構成により、以下の効果を有する。
家具３０に給電用１次コイル２１を設け、給電用２次コイル２２が負荷機器１０へ給電でき、給電用１次コイル２１から家具の上方に位置する給電用２次コイル２２へ非接触給電できる様にしたので、負荷機器１０へ給電できる。
また、給電用１次コイル２１のコイルが上から見て家具の輪郭Ｑの内側に輪郭Ｑに沿って這わされる様にしたので、負荷機器１０へ給電できる。
また、給電用１次コイル２１のコイルが上からみて寝台３２の輪郭Ｑの内側に輪郭Ｑに沿って這わされる様にしたので、寝台３２の上方に位置する給電用２次コイル２２を介して人工臓器１２へ給電できる。
また、給電用１次コイル２１のコイルが上からみて寝具３３の輪郭Ｑの内側に輪郭Ｑに沿って這わされる様にしたので、寝具３３の上方に位置する給電用２次コイル２２を介して人工臓器１２に給電できる。
また、給電用２次コイル２２が負荷機器１０から物理的に分離可能である様にしたので、家具３０の上方に位置する給電用２次コイル２２を経由して負荷機器１０へ給電できる。
また、複数の給電用１次コイル２１の各々にコイルが上から見て寝台３２の輪郭の内側に這わされる様にしたので、複数の給電用１次コイル２１から寝台３２の上方に位置する給電用２次コイル２２を経由して負荷機器１０へ給電できる。
部屋４０に給電用１次コイル２１を設け、負荷機器１０へ給電できる給電用２次コイル２２が負荷機器１０へ給電でき、給電用１次コイル２１から部屋の内側に位置する給電用２次コイル２２へ非接触給電できる様にしたので、負荷機器１０へ給電できる。
また、給電用１次コイル２１のコイルが上から見て部屋４０の輪郭Ｑの内側に輪郭Ｑに沿って這わされる様にしたので、負荷機器１０へ給電できる。
また、給電用１次コイル２１のコイルが横から見て部屋４０の輪郭Ｑの内側に輪郭Ｑに沿って這わされる様にしたので、負荷機器１０へ給電できる。
また、給電用１次コイル２１のコイルが上からみて部屋４０の輪郭Ｑの内側に輪郭Ｑに沿って這わされる様にしたので、部屋４０の内側に位置する給電用２次コイル２２を介して人工臓器に給電できる。
また、給電用１次コイル２１のコイルが横からみて部屋４０の輪郭Ｑの内側に輪郭Ｑに沿って這わされる様にしたので、部屋４０の内側に位置する給電用２次コイル２２を介して人工臓器に給電できる。
また、給電用２次コイル２２が負荷機器１０から物理的に分離可能である様にしたので、部屋の内部に位置する給電用２次コイル２２を経由して負荷機器１０へ給電できる。
また、複数の給電用１次コイル２１の各々にコイルが上から見て部屋４０の輪郭Ｑの内側に這わされる様にしたので、複数の給電用１次コイル２１から部屋４０の輪郭Ｑの内側に位置する給電用２次コイル２２を経由して負荷機器１０へ給電できる。
【００９４】
本発明は以上に述べた実施形態に限られるものではなく、発明の要旨を逸脱しない範囲で各種の変更が可能である。
【符号の説明】
【００９５】
Ｑ  輪郭
１０  負荷機器
１１  発光器
１２  人工臓器
２１  給電用１次コイル
２２  給電用２次コイル
３０  家具
３１  イス
３２  寝台
３３  寝具
４０  部屋
５０  駆動機器
６０  電源機器
【図１】
2015023673.tif 000003
【図２】
2015023673.tif 000004
【図３】
2015023673.tif 000005
【図４】
2015023673.tif 000006
【図５】
2015023673.tif 000007
【図６】
2015023673.tif 000008
【図７】
2015023673.tif 000009
【図８】
2015023673.tif 000010
【図９】
2015023673.tif 000011